(57)【要約】【課題】ＭＨＰなどで動作するデジタルＴＶ受信端末のアプリケーションは、映像データと音声データの選択と配置しかできず、映像ストリームに同期させて動作させることができないため、視聴者がＡＶストリームとデータを自由に編集して視聴することができなかった。【解決手段】ストリームの内容を表す情報をストリームと同期したデータとして放送し、そのデータの情報に基づいて映像、音声の再生を制御するアプリケーションを備えたものである。これによって、従来放送局で行っていた編集作業をデジタルテレビジョン受信機上で行うことが可能になり、視聴者毎の要求にあった映像を作成することが可能となる。【選択図】　図８
2004023516.tif 000002
【特許請求の範囲】
【請求項１】
デジタル方式による放送を受信し、放送に含まれる複数の映像ストリームと音声ストリームとデータストリームを再生するデジタルテレビジョン受信機において、前記データストリームに含まれる情報に従って、ストリームを管理する管理テーブルを生成するストリーム管理情報生成手段と、前記複数のストリームから着目ストリームを選択するストリーム選択手段と、前記選択したストリームの再生時刻を監視する再生時刻監視手段と、前記再生時刻に応じてストリームを切り替えるストリーム切り替え手段を備え、複数のストリームが登録されている前記ストリーム管理テーブルから着目ストリームを選択し、選択したストリームの再生時刻にあわせてストリームを切り替えることを特徴とするデジタルテレビジョン受信機。
【請求項２】
前記ストリーム管理テーブルは選択対象グループ毎に該当ストリームＩＤと再生時刻で構成されることを特徴とする請求項１記載のデジタルテレビジョン受信機。
【請求項３】
前記ストリーム選択手段はさらに、前記ストリーム管理テーブルのグループを予め設定されている条件で検索する検索手段と、現在、再生中のストリームと前記検索手段で検索したストリームを比較する比較手段を備え、両者が不一致の場合、前記ストリーム切り替え手段を起動させることを特徴とする請求項１記載のデジタルテレビジョン受信機。
【請求項４】
前記再生時刻監視手段はさらに、前記ストリーム選択手段で選択した前記ストリーム管理テーブルの再生時刻とＰＣＲを比較する再生時刻比較手段を備え、両者が一致した場合、前記ストリーム切り替え手段を起動させることを特徴とする請求項１記載のデジタルテレビジョン受信機。
【請求項５】
前記ストリーム選択手段が複数のストリームから着目ストリームを抽出する条件は予め設定されている固有情報であることを特徴とする請求項１記載のデジタルテレビジョン受信機。
【請求項６】
前記ストリーム選択手段が複数のストリームから着目ストリームを抽出する条件は視聴者が入力することを特徴とする請求項１記載のデジタルテレビジョン受信機。
【請求項７】
前記ストリーム管理テーブルは選択対象グループ毎に該当ストリームＩＤと前記ストリームＩＤを持つストリーム内での特定の内容の表示位置と再生時刻で構成されることを特徴とする請求項１記載のデジタルテレビジョン受信機。
【請求項８】
前記デジタルテレビジョン受信機は、さらにストリームの切り替えにおける編集処理を行うレンダリング制御手段を備え、複数のストリームが登録されている前記ストリーム管理テーブルから着目ストリームを選択し、選択したストリームの再生時刻にあわせてレンダリング処理を施した上でストリームを切り替えることを特徴とする請求項１から請求項７のいずれかに記載のデジタルテレビジョン受信機。
【請求項９】
前記レンダリング制御手段は複数編集処理から視聴者が選択することを特徴とする請求項８記載のデジタルテレビジョン受信機。
【請求項１０】
デジタル方式による放送を受信し、放送に含まれる複数の映像ストリームと音声ストリームとデータストリームを再生するデジタル放送受信方法において、前記データストリームに含まれる情報に従って、ストリームを管理する管理テーブルを生成するストリーム管理情報生成ステップと、前記複数のストリームから着目ストリームを選択するストリーム選択ステップと、前記選択したストリームの再生時刻を監視する再生時刻監視ステップと、前記再生時刻に応じてストリームを切り替えるストリーム切り替えステップを備え、複数のストリームが登録されている前記ストリーム管理テーブルから着目ストリームを選択し、選択したストリームの再生時刻にあわせてストリームを切り替えることを特徴とするデジタル放送受信方法。
【請求項１１】
デジタル方式による放送を受信し、放送に含まれる複数の映像ストリームと音声ストリームとデータストリームを再生するデジタル放送受信方法において、前記データストリームに含まれる情報に従って、ストリームを管理する管理テーブルを生成するストリーム管理情報生成ステップと、前記複数のストリームから着目ストリームを選択するストリーム選択ステップと、前記選択したストリームの再生時刻を監視する再生時刻監視ステップと、前記再生時刻に応じてストリームを切り替えるストリーム切り替えステップを備えるデジタル放送受信方法をコンピュータに実行させるためのプログラム。
【請求項１２】
デジタル方式による放送を受信し、放送に含まれる複数の映像ストリームと音声ストリームとデータストリームを再生するデジタル放送受信方法において、前記データストリームに含まれる情報に従って、ストリームを管理する管理テーブルを生成するストリーム管理情報生成ステップと、前記複数のストリームから着目ストリームを選択するストリーム選択ステップと、前記選択したストリームの再生時刻を監視する再生時刻監視ステップと、前記再生時刻に応じてストリームを切り替えるストリーム切り替えステップを備えるデジタル放送受信方法をコンピュータに実行させるためのプログラムを格納した記録媒体。
【発明の詳細な説明】
【０００１】
【発明の属する技術分野】
本発明は、デジタル方式による放送を受信し、放送に含まれる映像、音声信号とデータを再生用に加工し視聴者に付加情報を提供することができるデジタルテレビジョン受信機、および、受信機上で動作するアプリケーションに関する。
【０００２】
【従来の技術】
従来のテレビジョン受信機は、送信側から送信される映像、音声などのストリームは番組と一対一に対応しており、受信側は送信側が構成した番組を受信し表示するのみであった。たとえば図１に示すように、ある番組を放送側がＡという映像１０１で放送すると、この番組を視聴しているテレビ１０２、１０３にはすべてＡの映像１０１が表示される。
【０００３】
近年、半導体技術、通信技術の発達により、高度な技術を持つデジタルテレビジョン受信機の開発が行われている。デジタルテレビジョン受信機では放送の多チャンネル化が可能であり、ひとつの番組に複数の映像、音声等のストリームを割り当てることにより、同じ番組でも複数の視聴の仕方を楽しむことができる。たとえば図２に示すように、ある番組を放送する際に放送側がＡ、Ｂ、Ｃの映像１０１、２０１、２０２を同じ番組として放送すると、この番組を視聴しているテレビ１０２にはＡの映像１０１、テレビジョン１０３にはＢの映像２０１といったように好みの映像を選択して表示することができる。
【０００４】
デジタルテレビジョンの放送は図３に示すように、ＩＴＵ−Ｔ勧告Ｈ．２２０．０に記載されているトランスポートストリーム（ＴＳ）の形式で放送される。上記文献によればＴＳ３０１には、そのＴＳ３０１にあるチャンネルの情報を持つＰＡＴ（Ｐｒｏｇｒａｍ　Ａｓｓｏｃｉａｔｉｏｎ　Ｔａｂｌｅ）３０２があり、ＰＡＴには、放送局を表すＰＭＴ（Ｐｒｏｇｒａｍ　Ｍａｐ　Ｔａｂｌｅ）３０３、３０４があり、ＰＭＴ３０３、３０４には映像、音声を同期させるためのＰＣＲ（Ｐｒｏｇｒａｍ　Ｃｌｏｃｋ　Ｒｅｆｅｒｅｎｃｅ）３０５と、映像３０６、３０７、３０８、音声３０９、３１０等のストリームが含まれる。
【０００５】
図４９はＰＭＴ上の映像、音声のストリームの同期の仕組みを表している。映像、音声のストリームにはデコードしたデータを再生する時刻を表すＰＴＳ（Ｐｒｏｇｒａｍ　Ｔｉｍｅ　Ｓｔａｎｐ）が含まれている。デコーダーはＰＣＲの値がＰＴＳの値と等しくなった時刻にそのＰＴＳに対応したデータをデコードすることにより、映像、音声のストリームの再生を同期させることができる。
【０００６】
また、従来のテレビジョン受信機が放送された映像、音声を視聴して楽しむといった、受動的なものであったのに対し、デジタルテレビジョン受信機では映像、音声に加えて、デジタルデータを多重化し、映像、音声以外の情報を付加したり、アプリケーションを用いてインタラクティブなサービスを実現することができている。
【０００７】
このようデジタルテレビジョン受信機は日本で行われているＢＳデジタル放送や、欧州のＤｉｇｉｔａｌ　Ｖｉｄｅｏ　Ｂｒｏａｄｃａｓｔｉｏｎｇ（ＤＶＢ）が規定したＭｕｌｔｉｍｅｄｉａ　Ｈｏｍｅ　Ｐｌａｔｆｏｒｍ（ＭＨＰ）仕様のもの等が知られている。
【０００８】
ＭＨＰでは図４に示すようにＰＭＴ３０３から参照できる情報としてアプリケーション４０１も含まれる。ＳＴＢ上にアプリケーション４０１をダウンロードして実行することにより、視聴者は映像、音声等のストリームを切り替えて、チャンネルの中から好みの映像、音声等を選択して視聴することができる。また、ＴＳ３０１には番組の情報を表すテーブル（ＥＩＴ）４０２が含まれている。ＥＩＴ４０２には図５に示す番組の識別番号、番組名、開始時刻、終了時刻、使用するストリームＩＤ、及びストリーム名などの情報を含む番組情報４０３を持っている。番組情報４０３に映像、音声などのストリームを複数登録することによって、ひとつの番組に複数の映像、音声を対応させることが可能となる。
【０００９】
図６は従来のデジタルテレビジョン受信機の構造を示している。
【００１０】
送信側より送信された信号は入力端子５０１から入力され、受信部５０２で受信する。受信部５０２で受信されたデータのうち、映像、音声の信号はＭＰＥＧデコーダー５０３によってデコードされ、画像合成器５０８を通して出力端子５０９から出力される。受信手段５０２で受信されたデータのうち、デジタルデータはＣＰＵ５０４に接続されているバス５０５を通してメモリ５０６に取り込まれ、ＣＰＵ５０４によって動作するソフトウエアによって処理される。また、バス５０５には入力器５０７（リモコン、フロントパネル等）が接続されており、ユーザーからの入力を受け取り、ＣＰＵ５０４を通してアプリケーションにイベントを送ることができる。
【００１１】
アプリケーションはＭＰＥＧデコーダー５０３に対して指示を行うことで、再生するストリームの選択、映像の拡大、縮小などを行うことができる。また、バス５０５に接続された画像メモリ５１０を用いてグラフィックの表示を行うこともできる。
【００１２】
【発明が解決しようとする課題】
デジタルテレビジョンでは、前記のようにひとつの番組に複数の映像、音声などのストリームを割り当てることにより、同じ番組であっても異なる視聴をすることができる。ストリームの内容はＥＩＴ４０２に含まれるストリーム名や、ダウンロードアプリケーション４０１に含まれる情報などによってのみ識別される。
【００１３】
しかし、これらの情報はそのストリーム全体の情報を表すものであり、ある瞬間のストリームの詳細な情報を示すものはない。このため、ストリームの内容の変化をアプリケーションは知ることができず、ストリームの内容に変化があった場合、ユーザーが好みのストリームを視聴するためには、ストリームの内容にあわせて手動でストリームを切り替える、または、放送局で編集を行ったストリームを見る必要があった。
【００１４】
しかし、ストリームの内容の変化に従って手動でストリームの切り替えを行うことは困難であり、また、放送局で編集を行ったストリームではユーザーごとに異なる要求にこたえることができない。
【００１５】
本発明は、ストリームの内容を示す情報を放送し、前記ストリームの内容を示す情報の処理を前記ストリームと同期させることにより、放送されている複数のストリームからユーザーの好みに応じたストリームを自動的に選択し、ストリームの内容と同期してストリームを切り替えることによりＳＴＢ上での編集を可能とするアプリケーションを提供することを目的としている。
【００１６】
【課題を解決するための手段】
請求項１の発明は、ストリームの内容を表す情報をストリームと同期したデータとして放送し、そのデータの情報に基づいて映像、音声の再生を制御するアプリケーションを備えたものである。これによって、従来放送局で行っていた編集作業をデジタルテレビジョン受信機上で行うことが可能になり、視聴者毎の要求にあった映像を作成することが可能となる。
【００１７】
請求項７の発明は、デジタル方式の放送にストリームと同期を取ることのできるデータとして、特定の内容のストリーム内での表示位置情報を送信することにより、ストリームを再生する際に、前記内容を拡大表示、前記内容に印をつける等のストリームの加工をデジタルテレビジョン受信機上で行うことができる。
【００１８】
請求項８の発明は、ストリームの切り替え方法をストリームと同期したデータとして放送し、そのデータの情報に基づいて映像、音声の再生を制御するアプリケーションを備えたものである。これによって、従来は放送局で行っていたレンダリングなどの編集処理をデジタルテレビジョン受信機上で行うことが可能になり、放送局はデータを放送するのみで編集方式を増やすことができ、視聴者は複数の編集方式の中から嗜好する編集方式を選択し、視聴することができる。
【００１９】
【発明の実施の形態】
ここでは、デジタルテレビジョン受信機において、Ｖｉｄｅｏ、Ａｕｄｉｏなどのストリームと共に放送されるデータストリームを用いて、映像の切り替えをストリームと同期して行うことを目的とする。本発明では以下の４つの形態で実施例の解説を行うものとする。
【００２０】
１．データストリームとして特定の内容を含んでいるＶｉｄｅｏストリームのグループの情報を送信し、視聴者の指定したグループのストリームに自動的に切り替えるデジタルテレビジョン受信機。
【００２１】
２．データストリームとして特定の内容を含んでいるＶｉｄｅｏストリームのグループの情報を送信し、デジタルテレビジョン受信機の初期設定によって特定したグループのストリームに自動的に切り替えるデジタルテレビジョン受信機。
【００２２】
３．データストリームとして編集方法を送信し、視聴者の選択した編集方法に従ってストリームを切り替えるデジタルテレビジョン受信機。
【００２３】
４．データストリームとして特定の内容が、どの映像の何処に映っているという情報を送信し、視聴者の指定した方法でＶｉｄｅｏストリームを加工して出力するデジタルテレビジョン受信機。
【００２４】
以下、本発明の実施の形態について、図１から図４６を用いて説明する。
【００２５】
（実施の形態１）
図７（ａ）はＩＴＵ−Ｔ勧告Ｈ．２２０．０に示されているＰＥＳ＿ｐａｃｋｅｔの形式で送信されるデータ放送のデータテーブルと、編集設定格納部８０６に登録される編集設定情報４０５、及びイベント処理格納部８０７に登録されるイベント処理情報４０６を示している。グループ情報４０４はグループＩＤ、グループ名、ストリームＩＤのリストを持っており、イベント処理情報４０６はイベントを処理する時刻情報と変更後のストリームＩＤを持っている。
【００２６】
図８は本発明におけるソフトウェア構成図である。前記ソフトウェアは、図６におけるメモリ５０６上に展開され、ＣＰＵ５０４によって駆動する。
【００２７】
以下に、図８に示した各構成の役割を説明する。
【００２８】
入力器５０７はユーザーの選択に従って図７（ｂ）に示す編集設定情報４０５を作成し、編集設定格納部８０６に登録する。編集設定情報４０５はグループＩＤ、またはグループ名、またはその両方を持つ。
【００２９】
ストリーム管理情報生成手段８０４は入力端子５０１を通して受信部５０２が受信したデータストリームの情報をストリームデータ格納部８０５に保存すると共に、再生時刻監視手段８０２に対してＰＣＲ３０５の値を送信する。
【００３０】
ストリーム選択手段８０１は入力器５０７によって設定される編集設定情報４０５、及びストリーム管理情報生成手段８０４から取得するデータストリームからストリームを切り替える時刻と切り替えるストリームを特定し、ストリームを切り替える時刻を再生時刻監視手段８０２に、切り替えるストリームをストリーム切り替え手段８０３に指示する。
【００３１】
再生時刻監視手段８０２はストリーム管理情報生成手段８０４から取得したＰＣＲの値を監視し、ＰＣＲの値がストリームを切り替える時刻になると、イベント取得手段に対して、ストリームを切り替える時刻の到来を通知する通知要求時刻到来イベントを発行し、イベント処理を開始するタイミングを通知することによりＶｉｄｅｏ、Ａｕｄｉｏ等のストリームとイベントの処理を同期させる。
【００３２】
ストリーム切り替え手段８０３は通知要求時刻到来イベントを受け取ったタイミングで、ＭＰＥＧデコーダー制御手段８１０に対してストリームの切り替えの指示を行う。
【００３３】
図９は上記図８に示した構成のデジタルテレビジョン受信機におけるデータストリームによるストリームの切り替え処理の動作を表すフローチャートである。
【００３４】
上記の図８に示したデジタルテレビジョン受信機の動作を図９に示すフローチャートを用いて説明する。
【００３５】
受信部制御手段８１１は受信部５０２からデータストリームの入力を受けるとストリーム管理情報生成手段８０４にデータストリームを送信する。ストリーム管理情報生成手段８０４はグループ情報４０４のテーブルを作成し、ストリームデータ格納部８０５に前記テーブルを登録する（７２６）。
【００３６】
入力器５０７によって編集設定情報４０５の入力があると、入力手段８０９によってメモリ５０６上の編集設定格納部８０６に編集設定情報４０５が登録される（７１９）。
【００３７】
ストリーム選択手段８０１はストリームデータ格納部８０５から編集設定情報４０５に対応したグループ情報４０４を取り出し、再生するストリームを決定する（７２０）。
【００３８】
再生するストリームが現在再生中のストリームと異なる場合は（７２１）、再生時刻監視手段８０２がＰＣＲ３０５の監視を開始する。
【００３９】
再生時刻監視手段８０２はストリーム切り替え時刻になるとストリーム切り替え手段８０３にストリーム切り替え時刻の到来を知らせる（７２３）。
【００４０】
ストリーム切り替え手段８０３はストリーム切り替え時刻の到来を通知されると、ＭＰＥＧデコーダー制御手段８１０に再生ストリームの切り替えを指示し（７２４）ＭＰＥＧデコーダー制御手段８１０はＭＰＥＧデコーダー５０３を用いて再生ストリームを変更する（７２５）。
【００４１】
つぎに、上記の図８、９に示したストリーム選択手段８０１、再生時刻監視手段８０２、ストリーム切り替え手段８０３の動作の詳細をソフトウェア構成図とフローチャートを用いて説明する。
【００４２】
図１０はストリーム選択手段８０１のソフトウェア構成図である。また、図１１はストリーム選択手段８０１のフローチャートである。
【００４３】
ストリーム選択手段８０１は編集設定取得部９０１で編集設定格納部８０６から編集設定情報４０５を取り出し（７０２）、編集設定情報４０５がある場合（７０３）、ストリームデータ検索部９０２がストリームデータ格納部８０５から編集設定情報４０５によって指定されるグループ情報４０４を取り出し（７１６−７０４）、再生対象となるストリームＩＤが現在再生中のストリームＩＤと異なる（７１５）場合、要求発行部９０３がイベント処理格納部８０７にイベント処理情報４０６を登録し（７０５）、通知要求時刻格納部８０８に通知要求時刻の登録を行う（７０６）。
【００４４】
図１２は再生時刻監視手段８０２のソフトウェア構成図である。また、図１３は再生時刻監視手段８０２のフローチャートである。
【００４５】
再生時刻監視手段８０２は通知要求時刻管理部１００１で通知要求時刻格納８０８から最も早い通知要求時刻を取り出し（７０８−７１７）、ＰＣＲ監視部１００３はストリーム管理情報生成手段８０４から取り出すＰＣＲ３０５の値が通知要求時刻に到達すると（７０９）イベント発行部１００４に通知要求時刻到来イベントの発行を指示し、イベント発行部１００４はストリーム切り替え手段８０３に対して通知要求時刻到来イベントを発行する（７１０）。
【００４６】
図１４はストリーム切り替え手段８０３のソフトウェア構成図である。また、図１５はストリーム切り替え手段８０３のフローチャートである。
【００４７】
ストリーム切り替え手段８０３はイベント受信部１１０１で通知要求時刻到来イベントを受信すると（７１２）、イベント処理取得部１１０２でイベント処理格納部８０７からイベントに対応したイベント処理情報４０６を取り出し（７１３）、イベント処理実行部１１０３がＭＰＥＧデコーダー制御手段８１０に対して映像切り替え指示を行う（７１４）。
【００４８】
以上のように構成されたデジタルテレビジョン受信機について、以下に図１６から図２６を用いてサッカーの試合の放送において、特定の選手の映っているＶｉｄｅｏストリームを自動的に選択し、出力する動作の詳細を説明する。
【００４９】
図１６はこの放送のストリームの構成図である。この放送にはＶｉｄｅｏストリームＡ〜Ｄ１５０１〜１５０４、Ａｕｄｉｏストリーム１５０５、データストリーム１５０６が含まれる。ＶｉｄｅｏストリームＡ〜Ｄ１５０１〜１５０４はそれぞれ異なるカメラからの映像であり、データストリームには図７（ａ）に示すグループ情報４０４が含まれる。グループ情報４０４にはグループ名、グループに属するストリームのリストを持っており、特定の選手が映っているストリームのリスト、ボールの映っているストリームのリストなどがある。
【００５０】
図１７は受信部５０２が受信したグループ情報４０４がストリーム管理情報生成手段８０４によってストリームデータ格納部８０５に登録されているテーブルを示す。受信したグループ情報４０４は時刻情報と共にストリームデータ格納部８０５に格納される。
【００５１】
図１８は入力器５０７によって出力されるメニュー画面を示している。入力器５０７は受信したストリームデータ格納部８０５に格納されているグループ情報４０４を用いて図１８に示すようなメニュー画面１７０１を表示する。視聴者はこのメニュー画面において、視聴したい情報を指定することができる。ここでは視聴者が「選手Ｘ」を指定したものとして説明する。
【００５２】
図２０はメニュー画面で選択された情報が編集設定情報４０５として編集設定格納部８０６に登録されたテーブルを示す。入力器５０７は選択された情報に従ってグループＩＤとグループ名を持つ編集設定情報４０５を作成し、編集設定格納部８０６に登録する。
【００５３】
このとき、図２０に示すように編集設定格納部８０６には映像グループ（１）のグループＩＤ「０ｘ０１」とグループ名「選手Ｘ」を持つ編集設定情報１７０２が格納される。
【００５４】
図１９（ａ）はデジタルテレビジョン受信機から出力されるストリームを示し、図１９（ｂ）は（ａ）の１４：００：００：００の時刻１８０１に放送されているＶｉｄｅｏストリームＡ〜Ｄ１５０１〜１５０２の内容を示し、図１９（ｃ）は（ａ）の１４：００：０１：００の時刻１８０２に放送されているＶｉｄｅｏストリームＡ〜Ｄ１５０１〜１５０２の内容を示す。
【００５５】
図１９（ｂ）では、ＶｉｄｅｏストリームＡ１５０１には選手Ｘ１１０１、ＶｉｄｅｏストリームＢ１５０２には選手Ｘ１１０１と選手Ｙ１１０２、ＶｉｄｅｏストリームＣ１５０３には選手Ｚ１１０３とボール１１０４、ＶｉｄｅｏストリームＤ１５０４には選手Ｙ１１０２、が映っている。このとき、送信されるグループ情報４０４は図１７に示すようにグループ（１）、グループ（２）、グループ（３）、グループ（４）があり、グループ（１）は選手Ｘが表示されているストリームを表し、ストリームリストにはＶｉｄｅｏストリームＡ１５０１とＶｉｄｅｏストリームＢ１５０２、グループ（２）は選手Ｙが表示されているストリームを表し、ストリームリストにはＶｉｄｅｏストリームＢ１５０２とＶｉｄｅｏストリームＤ１５０４、グループ（３）は選手Ｙが表示されているストリームを表し、ストリームリストにはＶｉｄｅｏストリームＣ１５０３、グループ（４）はＢａｌｌが表示されているストリームを表し、ストリームリストにはＶｉｄｅｏストリームＣ１５０３が含まれる。
【００５６】
これが、図１９（ｃ）ではＶｉｄｅｏストリームＡ１５０１には選手Ｙ１１０２と選手Ｚ１１０３、ＶｉｄｅｏストリームＢ１５０２には選手Ｙ１１０２とボール１１０４、ＶｉｄｅｏストリームＣ１５０３には選手Ｚ１１０３とボール１１０４、ＶｉｄｅｏストリームＤ１５０４には選手Ｘ１１０１と選手Ｙ１１０２、が映っている。このとき、送信されるグループ情報４０４は図２４に示すようにグループ（１）、グループ（２）、グループ（３）、グループ（４）があり、グループ（１）は選手Ｘが表示されているストリームを表し、ストリームリストにはＶｉｄｅｏストリームＤ１５０４、グループ（２）は選手Ｙが表示されているストリームを表し、ストリームリストにはＶｉｄｅｏストリームＡ１５０１とＶｉｄｅｏストリームＢ１５０２とＶｉｄｅｏストリームＤ１５０４、グループ（３）は選手Ｙが表示されているストリームを表し、ストリームリストにはＶｉｄｅｏストリームＡ１５０１とＶｉｄｅｏストリームＣ１５０３、グループ（４）はＢａｌｌが表示されているストリームを表し、ストリームリストにはＶｉｄｅｏストリームＢ１５０２とＶｉｄｅｏストリームＣ１５０３が含まれるように変化する。
【００５７】
以下では、１４：００：００：００の時刻１８０１メニューで「選手Ｘ」を選択した際にＶｉｄｅｏストリームＡ１５０１の再生が開始される処理を説明する。
【００５８】
まず、ストリーム選択手段８０１が図１１に示したフローチャートに従って、切り替えるストリームを特定し、再生時刻監視手段８０２、及び、ストリーム切り替え手段８０３に対して指示を送る処理を説明する。
【００５９】
ストリーム選択手段８０１では図１１のフローチャートに示すように編集設定格納部８０６から編集設定情報１７０２を取り出し（７０２−７０３）、次にこの編集設定情報１７０２に対応するグループ情報を取り出す（７１６−７０４）。このときのフローチャートを図２１に示す。まず、編集設定情報１７０２に設定されているグループＩＤと同じグループＩＤを持つデータを検索する。いま、編集設定情報１７０２にはグループＩＤ「０ｘ０１」が設定されており、映像グループ（１）のグループＩＤが０ｘ０１なので映像グループ（１）の時刻情報とストリームリストが検索結果として返される。同じグループＩＤを持つグループ情報が見つからなかった場合は、編集設定情報１７０２に設定されているグループ名と同じグループ名を持つグループ情報を検索する。
【００６０】
次に監視中の情報の変化を調べる（７１５）。メニュー選択時には、メニュー画面が出力されているため、再生中のストリームは存在しない。再生対象ストリームはＶｉｄｅｏストリームＡ１５０１となる。
【００６１】
図２２はイベント処理格納部８０７に登録されるイベント処理のテーブルを示している。要求発行部９０３は図２２に示すようにイベント処理格納部８０７に１４：００：００：００の時刻１８０１にストリームをＶｉｄｅｏストリームＡ１５０１切り替える処理（２１０１）を登録する（７０５）。
【００６２】
図２３は通知要求時刻格納部８０８に登録される通知要求時刻のテーブルを示している。要求発行部９０３は図２３に示すように通知要求時刻格納部８０８に１４：００：００：００の時刻１８０１を通知する要求２３０１を登録する。
【００６３】
次に、再生時刻監視手段８０２が図１３に示したフローチャートに従って、ＰＣＲ３０５の値がストリームを切り替える時刻になるのを監視し、ストリームを切り替える時刻が到来したことを示す通知要求時刻到来イベントをストリーム切り替え手段８０３に対して発行する処理を説明する。
【００６４】
再生時刻監視手段８０２は通知要求時刻格納部８０８から１４：００：００：００の時刻１８０１を通知する要求２３０１を取り出すと（７０８−７１７）、ストリーム管理情報生成手段８０４から取り出すＰＣＲ３０５の値を監視し、ＰＣＲ３０５の値が１４：００：００：００の時刻１８０１になった時点で、イベント発行部１００４から１４：００：００：００の時刻１８０２を持つ要求時刻到来イベントを発行する（７１０）。
【００６５】
次に、ストリーム切り替え手段８０３が図１５に示したフローチャートに従って通知要求時刻到来イベントを受け取ってからＭＰＥＧデコーダー制御手段８１１に対して再生ストリームをＶｉｄｅｏストリームＡ１５０１に切り替える指示する処理を説明する。
【００６６】
ストリーム切り替え手段８０３は要求時刻到来イベントを受け取ると（７１２）イベント処理格納部８０７から１４：００：００：００の時刻１８０１を持つ処理２１０１を取り出し（７１３）、ＭＰＥＧデコーダー制御手段８１１に再生映像をＶｉｄｅｏストリームＤ１５０４に切り替える指示を出す。
【００６７】
次に、１４：００：０１：００の時刻１８０２で再生ストリームがＶｉｄｅｏストリームＡ１５０１からＶｉｄｅｏストリームＤ１５０４に自動的に切り替わる処理を説明する。
【００６８】
まず、ストリーム選択手段８０１が図１１に示したフローチャートに従って、切り替えるストリームを特定し、再生時刻監視手段８０２、及び、ストリーム切り替え手段８０３に対して指示を送る処理を説明する。
【００６９】
ストリーム選択手段８０１では図１１のフローチャートに示すように編集設定格納部８０６から編集設定情報１７０２を取り出し（７０２−７０３）、次にこの編集設定情報１７０２に対応するグループ情報を取り出す（７１６−７０４）。このときのフローチャートを図２１に示す。まず、編集設定情報１７０２に設定されているグループＩＤと同じグループＩＤを持つデータを検索する。いま、編集設定情報１７０２にはグループＩＤ「０ｘ０１」が設定されており、映像グループ（１）のグループＩＤが０ｘ０１なので映像グループ（１）の時刻情報とストリームリストが検索結果として返される。同じグループＩＤを持つグループ情報が見つからなかった場合は、編集設定情報１７０２に設定されているグループ名と同じグループ名を持つグループ情報を検索する。
【００７０】
次に監視中の情報の変化を調べる（７１５）。現在再生中のストリームＡ１５０１に対して、再生対象ストリームはＶｉｄｅｏストリームＤ１５０４となる。
【００７１】
図２６はイベント処理格納部８０７に登録されるイベント処理のテーブルを示している。要求発行部９０３は図２６に示すようにイベント処理格納部８０７に１４：００：０１：００の時刻１８０１にストリームをＶｉｄｅｏストリームＤ１５０３に切り替える処理（２４０１）を登録する（７０５）。
【００７２】
図２７は通知要求時刻格納部８０８に登録される通知要求時刻のテーブルを示している。要求発行部９０３は図２７に示すように通知要求時刻格納部８０８に１４：００：０１：００の時刻１８０２を通知する要求２７０１を登録する。
【００７３】
次に、再生時刻監視手段８０２が図１３に示したフローチャートに従って、ＰＣＲ３０５の値がストリームを切り替える時刻になるのを監視し、ストリームを切り替える時刻が到来したことを示す通知要求時刻到来イベントをストリーム切り替え手段８０３に対して発行する処理を説明する。
【００７４】
再生時刻監視手段８０２はこの要求を受け取ると（７０８−７１７）、ストリーム管理情報生成手段８０４から取り出すＰＣＲ３０５の値を監視し、ＰＣＲ３０５の値が１４：００：０１：００の時刻１８０２になった時点で、イベント発行部１００４から１４：００：０１：００の時刻１８０２を持つ要求時刻到来イベントを発行する（７１０）。
【００７５】
次に、ストリーム切り替え手段８０３が図１５に示したフローチャートに従って通知要求時刻到来イベントを受け取ってからＭＰＥＧデコーダー制御手段８１０に対して再生ストリームをＶｉｄｅｏストリームＤ１５０４に切り替える指示する処理を説明する。
【００７６】
ストリーム切り替え手段８０３は要求時刻到来イベントを受け取ると（７１２）イベント処理格納部８０７から１４：００：０１：００の時刻１８０２を持つ処理２４０１を取り出し（７１３）、ＭＰＥＧデコーダー制御手段８１０に再生映像をＶｉｄｅｏストリームＤ１５０４に切り替える指示を出す。
【００７７】
この結果、図１９（ａ）に示すように１４：００：０１：００の時刻１８０２からは出力される画像がＶｉｄｅｏストリームＡからＶｉｄｅｏストリームＤ１５０４に切り替わり、視聴者は選択した選手Ｘが視聴しているストリームから消え、他のストリームに映っている場合に自動的にストリームを切り替えて選手Ｘが映っているＶｉｄｅｏストリームを視聴する事ができる。
【００７８】
（実施の形態２）
実施の形態１では、編集設定格納部８０６に登録する編集設定情報４０５を入力部５０７を用いて視聴者が入力を行った。実施の形態２では編集設定情報４０５の設定方法としてその他の方法、例えば工場出荷時に登録される国情報を用いる例を説明する。
【００７９】
図２８は本実施例におけるソフトウェア構成図である。前記ソフトウェアは、図６におけるメモリ５０６上に展開され、ＣＰＵ５０４によって駆動する。
【００８０】
編集設定格納部２８０１は編集設定情報４０５としてあらかじめ登録された情報を保持している。
【００８１】
図２９に編集設定格納部２８０１に格納されている編集設定情報４０５のテーブルを示す。編集設定格納部２８０１に登録されている編集設定情報２９０１はグループＩＤは持たず、グループ名として国情報のみを持つ。
【００８２】
このとき、図１９に示した放送で、選手Ｘ１１０１、選手Ｙ１１０２が日本、選手Ｚがアメリカの選手とする。グループ情報として、選手Ｘ、日本の選手、アメリカの選手、Ｂａｌｌがあるとする。
【００８３】
図３０は１４：００：００：００の時刻１８０１に送信されたグループ情報がストリーム管理情報生成手段８０４によってストリームデータ格納部８０５に登録されているテーブルを示す。
【００８４】
送信されるグループ情報４０４は図３０に示すようにグループ（１）、グループ（２）、グループ（３）、グループ（４）があり、グループ（１）は選手Ｘが表示されているストリームを表し、ストリームリストにはＶｉｄｅｏストリームＡ１５０１とＶｉｄｅｏストリームＢ１５０２、グループ（２）は日本の選手が表示されているストリームを表し、ストリームリストにはＶｉｄｅｏストリームＡ１５０１とＶｉｄｅｏストリームＢ１５０２とＶｉｄｅｏストリームＤ１５０４、グループ（３）はアメリカの選手が表示されているストリームを表し、ストリームリストにはＶｉｄｅｏストリームＣ１５０３、グループ（４）はＢａｌｌが表示されているストリームを表し、ストリームリストにはＶｉｄｅｏストリームＣ１５０３が含まれる。
【００８５】
図３１は１４：００：０１：００の時刻１８０２に送信されたグループ情報がストリーム管理情報生成手段８０４によってストリームデータ格納部８０５に登録されているテーブルを示す。
【００８６】
送信されるグループ情報４０４は図３１に示すようにグループ（１）、グループ（２）、グループ（３）、グループ（４）があり、グループ（１）は選手Ｘが表示されているストリームを表し、ストリームリストにはＶｉｄｅｏストリームＡ１５０１とＶｉｄｅｏストリームＢ１５０２、グループ（２）は日本の選手が表示されているストリームを表し、ストリームリストにはＶｉｄｅｏストリームＡ１５０１とＶｉｄｅｏストリームＢ１５０２とＶｉｄｅｏストリームＤ１５０４、グループ（３）はアメリカの選手が表示されているストリームを表し、ストリームリストにはＶｉｄｅｏストリームＡ１５０１とＶｉｄｅｏストリームＣ１５０３、グループ（４）はＢａｌｌが表示されているストリームを表し、ストリームリストにはＶｉｄｅｏストリームＣ１５０３が含まれる。
【００８７】
以下の動作は実施の形態１と同様なので割愛する。
【００８８】
この結果、視聴者が設定を入力しなくても、デジタルテレビジョン受信機ごとにそのデジタルテレビジョン受信機応じたストリームを選択し、視聴することができる。
【００８９】
（実施の形態３）
実施の形態３ではデータストリームとして編集方法を放送し、視聴者の選択した方式に従ってストリームを切り替える例を説明する。
【００９０】
図３２はデータストリームとして送信される編集設定情報３００１のデータ構造を示している。編集設定情報３００１は編集ＩＤ、編集名、切り替え方法、切り替え時間、ストリームＩＤの情報を持つ。
【００９１】
図１６に示した構成の放送で、図３２に示すデータストリームが放送されているとする。
【００９２】
図３５は入力部５０７によって出力されるメニュー画面を示している。入力部５０７は受信したストリームデータ格納部８０５に格納されている編集設定情報３００１を用いて図３５に示すようなメニュー画面３３０１を表示する。視聴者はこのメニュー画面において、視聴したい情報を指定することができる。ここでは視聴者が「編集名１」を指定したものとして説明する。
【００９３】
図３６はデジタルテレビジョン受信機から出力される映像を示す。１４：００：００：００の時刻３７０１までは、ＶｉｄｅｏストリームＡ１５０１を再生しているとする。また、視聴者が選択した編集名１の設定により、１４：００：００：００の時刻３７０１から１４：００：０１：００の時刻３７０２にかけて右からのワイプ処理によって再生ストリームがＶｉｄｅｏストリームＡ１５０１からＶｉｄｅｏストリームＤ１５０４に切り替わる処理を以下で説明する。
【００９４】
図３７は１４：００：００：００の時刻３７０１に送信される編集設定情報３００１がストリーム管理情報生成手段８０４によってストリームデータ格納部８０５に登録されているテーブルを示す。
【００９５】
送信される編集設定情報３００１は図３７に示すように編集名１、編集名２、編集名３があり、編集名１は１４：００：００：００の時刻３７０１にＶｉｄｅｏストリームＤ１５０４に右からのワイプで００：００：０１：００かけて再生ストリームを切り替える情報を持つ。編集名２は１４：００：００：００の時刻３７０１にＶｉｄｅｏストリームＣ１５０３にスライドインで００：００：０１：００かけて再生ストリームを切り替える情報を持つ。編集名３は１４：００：００：００の時刻３７０１にＶｉｄｅｏストリームＤにフェードで００：００：０１：００かけて再生ストリームを切り替える情報を持つ。
【００９６】
図３８はストリーム選択手段８０１のフローチャートを示す。このフローチャートを用いてストリーム選択手段８０１が切り替えるストリーム、及びストリームを切り替える方法を特定し、再生時刻監視手段８０２、及び、ストリーム切り替え手段８０３に対して指示を送る処理を説明する。
【００９７】
編集設定格納部８０６から編集設定情報１７０２を取得し（７０２−７０３）、ストリームデータ格納部８０５から編集設定情報１７０２に対応した編集設定情報３００１を取り出す（７１６）。
【００９８】
図３９はイベント処理格納部８０７に登録されるイベント処理のテーブルを示している。編集設定情報３００１を取り出せた場合は（７０４）ストリーム切り替え手段８０３に図３７に示すように切り替え時刻に１４：００：００：００、切り替え方法に右からのワイプ、切り替え時間に００：００：０１：００、切り替えるストリームＩＤにＶｉｄｅｏストリームＤ１５０４を持つ編集処理３４０１を登録する（７０５）。
【００９９】
次に、図２３に示すように、通知要求時刻格納部８０８に通知要求時刻１４：００：００：００を登録する（７０６）。
【０１００】
以下は実施の形態１と同様に動作し、ストリーム切り替え手段８０３がＭＰＥＧデコーダー制御手段８１０に編集動作を指示する。
【０１０１】
図３６に示すように１４：００：００：００の時刻３７０１から１４：００：０１：００の時刻３７０２にかけて、右からのワイプ処理で再生ストリームがＶｉｄｅｏストリームＡ１５０１からＶｉｄｅｏストリームＤ１５０４に切り替わる。
【０１０２】
これによって、放送局は編集前のストリームを放送することができ、また、データの追加によって編集形式を追加することができるために、より多くの編集形式を放送することができ、視聴者はより多くの編集形式を視聴することができる。
【０１０３】
（実施の形態４）
実施の形態４ではデータストリームとして特定の内容がどの映像のどの位置に映っているという情報を送信し、視聴者が選択した方法でストリームを加工して出力する例を説明する。
【０１０４】
図４０はデータストリームとして放送されるグループ情報３８０１のデータ構造を示している。グループ情報３８０１はグループＩＤ、グループ名、ストリームＩＤ、位置情報の情報を持つ。
【０１０５】
図４１（ａ）は出力されるストリームを示す。ＶｉｄｅｏストリームＡ１５０１が出力されているとする。図４１（ｂ）は１４：００：００：００の時刻３９０１に放送されているＶｉｄｅｏストリームＡ１５０１の画面を示す。ＶｉｄｅｏストリームＡ１５０１には図４１（ａ）に示すような配置で選手Ｘ、選手Ｙ、選手Ｚ、Ｂａｌｌが映っている。図４１（ｃ）は１４：００：０１：００の時刻３９０１に放送されているＶｉｄｅｏストリームＡ１５０１の画面を示す。ＶｉｄｅｏストリームＡ１５０１には図４１（ａ）に示すような配置で選手Ｘ、選手Ｙ、選手Ｚ、Ｂａｌｌが映っている。
【０１０６】
図４２は入力部５０７によって出力されるメニュー画面を示している。入力部５０７は受信したストリームデータ格納部８０５に格納されているグループ情報３８０１を用いて図４２に示すようなメニュー画面４００１を表示する。視聴者はこのメニュー画面において、視聴したい情報を指定することができる。ここでは視聴者が「選手Ｘを拡大２倍」を指定したものとして説明する。
【０１０７】
図４３はメニュー画面で選択された情報が編集設定情報４１０１として編集設定格納部８０６に登録されたテーブルを示す。入力部５０７は選択された情報に従ってグループＩＤとグループ名と効果を持つ編集設定情報４１０１を作成し、編集設定格納部８０６に登録する。
【０１０８】
このときデータストリームとして送信される情報から、選手Ｘの表示位置を特定し、選手Ｘを中心に映像を拡大して表示し、ＶｉｄｅｏストリームＡ１５０１上での選手Ｘの表示位置が移動すると、それにしたがって出力する領域も移動する処理について、以下で説明する。
【０１０９】
図４４は１４：００：００：００の時刻３９０１に送信される編集設定情報３００１がストリーム管理情報生成手段８０４によってストリームデータ格納部８０５に登録されているテーブルを示す。
【０１１０】
送信されるグループ情報３８０１は図４４に示すように映像グループ（１）、映像グループ（２）、映像グループ（３）、映像グループ（４）があり、映像グループ（１）は選手Ｘが表示されている情報を表し、ストリームリストにはＶｉｄｅｏストリームＡ１５０１、及び、選手ＸがＶｉｄｅｏストリームＡ１５０１に表示されている位置、映像グループ（２）は選手ｙが表示されている情報を表し、ストリームリストにはＶｉｄｅｏストリームＡ１５０１、及び、選手ＹがＶｉｄｅｏストリームＡ１５０１に表示されている位置、映像グループ（３）は選手Ｚが表示されている情報を表し、ストリームリストにはＶｉｄｅｏストリームＡ１５０１、及び、選手ＺがＶｉｄｅｏストリームＡ１５０１に表示されている位置、映像グループ（４）はＢａｌｌが表示されている情報を表し、ストリームリストにはＶｉｄｅｏストリームＡ１５０１、及び、ＢａｌｌがＶｉｄｅｏストリームＡ１５０１に表示されている位置を含んでいる。
【０１１１】
図４５は１４：００：０１：００の時刻３９０１に送信される編集設定情報３００１がストリーム管理情報生成手段８０４によってストリームデータ格納手段８０５に登録されているテーブルを示す。
【０１１２】
送信されるグループ情報３８０１は図４５に示すように映像グループ（１）、映像グループ（２）、映像グループ（３）、映像グループ（４）があり、映像グループ（１）は選手Ｘが表示されている情報を表し、ストリームリストにはＶｉｄｅｏストリームＡ１５０１、及び、選手ＸがＶｉｄｅｏストリームＡ１５０１に表示されている位置、映像グループ（２）は選手ｙが表示されている情報を表し、ストリームリストにはＶｉｄｅｏストリームＡ１５０１、及び、選手ＹがＶｉｄｅｏストリームＡ１５０１に表示されている位置、映像グループ（３）は選手Ｚが表示されている情報を表し、ストリームリストにはＶｉｄｅｏストリームＡ１５０１、及び、選手ＺがＶｉｄｅｏストリームＡ１５０１に表示されている位置、映像グループ（４）はＢａｌｌが表示されている情報を表し、ストリームリストにはＶｉｄｅｏストリームＡ１５０１、及び、ＢａｌｌがＶｉｄｅｏストリームＡ１５０１に表示されている位置を含んでいる。
【０１１３】
まず、ストリーム選択手段８０１が図４６に示したフローチャートに従って、切り替えるストリームを特定し、再生時刻監視手段８０２、及び、ストリーム切り替え手段８０３に対して指示を送る処理を説明する。
【０１１４】
編集設定格納部８０６から編集設定情報４１０１を取り出し（７０２−７０３）、次にこの編集設定情報４１０１に対応するグループ情報３８０１を取り出す（７１６−７０４）。このときのフローチャートを図２１に示す。まず、編集設定情報４１０１に設定されているグループＩＤと同じグループＩＤを持つデータを検索する。いま、編集設定情報４１０１にはグループＩＤ「０ｘ０１」が設定されており、映像グループ（１）のグループＩＤが０ｘ０１なので映像グループ（１）の時刻情報とストリームリスト、及び効果が検索結果として返される。同じグループＩＤを持つグループ情報が見つからなかった場合は、編集設定情報４１０１に設定されているグループ名と同じグループ名を持つグループ情報を検索する。
【０１１５】
次に監視中の情報の変化を調べる（７１５）。メニュー選択直後はストリームの再生が行われていないため、現在再生中のストリーム無しに対して、再生対象ストリームはＶｉｄｅｏストリームＡ１５０１となるので、要求発行部９０３は図４５に示すようにイベント処理格納部８０７に１４：００：００：００の時刻１８０１にストリームをＶｉｄｅｏストリームＡ１５０１に切り替え、（１００、１００）の位置を２倍に拡大して表示する処理（４５０１）を登録し（７０５）、通知要求時刻格納部８０８に１４：００：００：００の時刻１８０１を通知する要求を登録する。また、再生対象ストリームが変更しなかった場合でも、編集設定情報４００１の効果または、再生対象ストリームの表示位置が変更された場合（４２０１）も同様に要求発行部９０３はイベント処理格納部８０７、及び通知要求時刻格納部８０８に登録を行う。
【０１１６】
以下実施の形態１と同様に動作し、ストリーム切り替え手段８０３が通知要求時刻到来イベントを受け取るとＭＰＥＧデコーダー制御手段８１１に対して再生ストリームをＶｉｄｅｏストリームＡを（１００、１００）を中心に２倍に拡大して表示する指示を行い、ＭＰＥＧデコード手段が図３９（ｂ）に示す画面４３０１のように再生を行う。
【０１１７】
次に、１４：００：０１：００の時刻３９０２で表示領域がＶｉｄｅｏストリームＡ１５０１の（２００、５０）の座標を中心に２倍に拡大したものに自動的に切り替わる処理を説明する。
【０１１８】
まず、ストリーム選択手段８０１が図４６に示したフローチャートに従って、切り替えるストリームを特定し、再生時刻監視手段８０２、及び、ストリーム切り替え手段８０３に対して指示を送る処理を説明する。
【０１１９】
編集設定格納部８０６から編集設定情報４１０１を取り出し（７０２−７０３）、次にこの編集設定情報４１０１に対応するグループ情報３８０１を取り出す（７１６−７０４）。このときのフローチャートを図２１に示す。まず、編集設定情報４１０１に設定されているグループＩＤと同じグループＩＤを持つデータを検索する。いま、編集設定情報４１０１にはグループＩＤ「０ｘ０１」が設定されており、映像グループ（１）のグループＩＤが０ｘ０１なので映像グループ（１）の時刻情報とストリームリスト、及び効果が検索結果として返される。同じグループＩＤを持つグループ情報が見つからなかった場合は、編集設定情報４１０１に設定されているグループ名と同じグループ名を持つグループ情報を検索する。
【０１２０】
次に監視中の情報の変化を調べる（７１５）。現在再生中のストリームはＶｉｄｅｏストリームＡ１５０１であり、再生対象ストリームはＶｉｄｅｏストリームＡ１５０１となるので再生対象のストリームは変化しない。
【０１２１】
次に編集設定の効果、及び、再生対象の表示位置の変化を監視する（４２０１）。編集設定の効果は拡大２倍から変更されていないので変化していない。再生対象の表示領域は現在再生中のものは（１００、１００）に対して（２００、５０）に変化しているので、要求発行部９０３は図４６に示すようにイベント処理格納部８０７に１４：００：０１：００の時刻１８０１にストリームをＶｉｄｅｏストリームＡ１５０１に切り替え、（２００、５０）の位置を２倍に拡大して表示する処理（４５０１）を登録し（７０５）、通知要求時刻格納部８０８に１４：００：０１：００の時刻１８０１を通知する要求を登録する。また、再生対象ストリームが変更しなかった場合でも、編集設定情報４００１の効果または、再生対象ストリームの表示位置が変更された場合（４２０１）も同様に要求発行部９０３はイベント処理格納部８０７、及び通知要求時刻格納部８０８に登録を行う。
【０１２２】
以下実施の形態１と同様に動作し、ストリーム切り替え手段８０３が通知要求時刻到来イベントを受け取るとＭＰＥＧデコーダー制御手段８１０に対して再生ストリームをＶｉｄｅｏストリームＡを（２００、５０）を中心に２倍に拡大して表示する指示を行い、ＭＰＥＧデコード手段が図４１（ｃ）に示す画面４３０２のように再生を行う。
【０１２３】
これによって、特定の内容が画面上で移動したとき表示領域を移動することにより、その内容を自動的に画面内に表示することができる。
【０１２４】
【発明の効果】
以上のように本発明の請求項１の発明によれば、デジタル方式の放送にストリームと同期を取ることのできるデータを送信することにより、デジタルテレビジョン受信機上のソフトウェアは視聴者の嗜好するストリームを自動的に選択し、再生することができる。
【０１２５】
また、本発明の請求項７の発明によれば、デジタル方式の放送にストリームと同期を取ることのできるデータとして、特定の内容のストリーム内での表示位置情報を送信することにより、ストリームを再生する際に、前記内容を拡大表示、前記内容に印をつける等のストリームの加工をデジタルテレビジョン受信機上で行うことができる。
【０１２６】
また、本発明の請求項８の発明によれば、デジタル方式の放送にストリームと同期を取ることのできるデータとして、レタリング情報を送信することにより、従来は放送局で行っていた編集処理をデジタルテレビジョン受信機上で行うことができ、放送局はデータを放送するのみで編集方式を増やすことができ、視聴者は複数の編集方式の中から嗜好する編集方式を選択し、視聴することができる。
【図面の簡単な説明】
【図１】従来のアナログ方式のテレビジョン放送を示す図
【図２】従来のデジタル方式のテレビジョン放送を示す図
【図３】従来のデジタル方式のテレビジョン放送における、データの階層構造を示す図
【図４】ＤＶＢ−ＭＨＰにおけるデジタルテレビジョン放送のデータの階層構造を示す図
【図５】ＤＶＢ−ＭＨＰにおける番組情報のテーブル（ＥＩＴ）のデータ構造を示す図
【図６】従来のデジタルテレビジョン受信機のハードウェア構成を示す図
【図７】本発明の実施の形態１におけるデータストリーム、編集設定情報、及び、イベント処理情報のデータ構造を示す図
【図８】本発明の実施の形態１におけるソフトウェアの構成を示す図
【図９】本発明の実施の形態１におけるデジタルテレビジョン受信機上での処理の流れを示す図
【図１０】本発明の実施の形態１におけるストリーム選択手段８０１のソフトウェア構成を示す図
【図１１】本発明の実施の形態１におけるストリーム選択手段８０１の処理の流れを示す図
【図１２】本発明の実施の形態１における再生時刻監視手段８０２のソフトウェア構成を示す図
【図１３】本発明の実施の形態１における再生時刻監視手段８０２の処理の流れを示す図
【図１４】本発明の実施の形態１におけるストリーム切り替え手段８０３のソフトウェア構成を示す図
【図１５】本発明の実施の形態１におけるストリーム切り替え手段８０３の処理の流れを示す図
【図１６】本発明の実施の形態１における放送の階層構造を示す図
【図１７】本発明の実施の形態１におけるストリームデータ格納部内に登録されたグループ情報のデータテーブルを示す図
【図１８】本発明の実施の形態１における編集設定情報の選択画面を示す図
【図１９】本発明の実施の形態１における出力画像の繊維を表す図
【図２０】本発明の実施の形態１におけるメニュー画面で選択された情報が編集設定情報として編集設定格納部に登録されたテーブルを示す図
【図２１】本発明の実施の形態１におけるストリームデータ格納部に登録されているグループ情報のテーブルから編集設定情報に対応したグループ情報を決定する処理のフローチャート
【図２２】本発明の実施の形態１におけるイベント処理格納部に登録されるイベント処理のテーブルを示す図
【図２３】本発明の実施の形態１における通知要求時刻格納部に登録される通知要求時刻のテーブルを示す図
【図２４】本発明の実施の形態１におけるストリームデータ格納部内に登録されたグループ情報のデータテーブルを示す図
【図２５】本発明の実施の形態１における監視中のグループ情報の変化を調べる処理のフローチャート
【図２６】本発明の実施の形態１におけるイベント処理格納部に登録されるイベント処理のテーブルを示す図
【図２７】本発明の実施の形態１における通知要求時刻格納部に登録される通知要求時刻のテーブルを示す図
【図２８】本発明の実施の形態２におけるメモリ上に展開され、ＣＰＵによって駆動するソフトウェア構成を示す図
【図２９】本発明の実施の形態２における編集設定格納部に格納されている編集設定情報のテーブルを示す図
【図３０】本発明の実施の形態２におけるグループ情報がＥＳデータ取得手段によってストリームデータ格納手段に登録されているテーブルを示す図
【図３１】本発明の実施の形態２におけるグループ情報がＥＳデータ取得手段によってストリームデータ格納手段に登録されているテーブルを示す図
【図３２】本発明の実施の形態３におけるデータストリームとして送信される編集方法のデータ構造を示す図
【図３３】本発明の実施の形態３におけるハードウェアの構成を示す図
【図３４】本発明の実施の形態３におけるソフトウェアの構成を示す図
【図３５】本発明の実施の形態３における入力手段によって出力されるメニュー画面を示す図
【図３６】本発明の実施の形態３におけるデジタルテレビジョン受信機から出力される映像の遷移を示す図
【図３７】本発明の実施の形態３における編集設定情報がＥＳデータ取得手段によってストリームデータ格納手段に登録されているテーブルを示す図
【図３８】本発明の実施の形態３におけるストリームデータ選択手段がストリーム切り替え手段と、再生時刻監視手段に指示を送るまでの処理を示すフローチャート
【図３９】本発明の実施の形態３におけるイベント処理格納部に登録されるイベント処理のテーブルを示す図
【図４０】本発明の実施の形態４におけるデータストリームとして放送されるグループ情報のデータ構造を示す図
【図４１】本発明の実施の形態４におけるデジタルテレビジョン受信機から出力される映像の遷移を示す図
【図４２】本発明の実施の形態４における入力手段によって出力されるメニュー画面を示す図
【図４３】本発明の実施の形態４におけるメニュー画面で選択された情報が編集設定として編集設定格納部に登録されたテーブルを示す図
【図４４】本発明の実施の形態４における送信される編集設定情報がＥＳデータ取得手段によってストリームデータ格納手段に登録されているテーブルを示す図
【図４５】本発明の実施の形態４における送信される編集設定情報がＥＳデータ取得手段によってストリームデータ格納手段に登録されているテーブルを示す図
【図４６】本発明の実施の形態４におけるストリームデータ選択手段がストリーム切り替え手段と、再生時刻監視手段に指示を送るまでの処理を示すフローチャート
【図４７】本発明の実施の形態４におけるイベント処理情報がストリーム選択手段によってイベント処理格納部に登録されているテーブルを示す図
【図４８】本発明の実施の形態４におけるイベント処理情報がストリーム選択手段によってイベント処理格納部に登録されているテーブルを示す図
【図４９】映像、音声のストリームの同期の仕組みを説明する図
【符号の説明】
８０１　ストリーム選択手段
８０２　再生時刻監視手段
８０３　ストリーム切り替え手段
８０４　ストリーム管理情報生成手段
８０５　ストリームデータ格納部
８０６　編集設定格納部
８０７　イベント処理格納部
８０８　通知要求時刻格納部
８０９　入力手段
８１０　ＭＰＥＧデコーダー制御手段
８１１　受信部制御手段
【図１】
2004023516.tif 000003
【図２】
2004023516.tif 000004
【図３】
2004023516.tif 000005
【図４】
2004023516.tif 000006
【図５】
2004023516.tif 000007
【図６】
2004023516.tif 000008
【図７】
2004023516.tif 000009
【図８】
2004023516.tif 000010
【図９】
2004023516.tif 000011
【図１０】
2004023516.tif 000012
【図１１】
2004023516.tif 000013
【図１２】
2004023516.tif 000014
【図１３】
2004023516.tif 000015
【図１４】
2004023516.tif 000016
【図１５】
2004023516.tif 000017
【図１６】
2004023516.tif 000018
【図１７】
2004023516.tif 000019
【図１８】
2004023516.tif 000020
【図１９】
2004023516.tif 000021
【図２０】
2004023516.tif 000022
【図２１】
2004023516.tif 000023
【図２２】
2004023516.tif 000024
【図２３】
2004023516.tif 000025
【図２４】
2004023516.tif 000026
【図２５】
2004023516.tif 000027
【図２６】
2004023516.tif 000028
【図２７】
2004023516.tif 000029
【図２８】
2004023516.tif 000030
【図２９】
2004023516.tif 000031
【図３０】
2004023516.tif 000032
【図３１】
2004023516.tif 000033
【図３２】
2004023516.tif 000034
【図３３】
2004023516.tif 000035
【図３４】
2004023516.tif 000036
【図３５】
2004023516.tif 000037
【図３６】
2004023516.tif 000038
【図３７】
2004023516.tif 000039
【図３８】
2004023516.tif 000040
【図３９】
2004023516.tif 000041
【図４０】
2004023516.tif 000042
【図４１】
2004023516.tif 000043
【図４２】
2004023516.tif 000044
【図４３】
2004023516.tif 000045
【図４４】
2004023516.tif 000046
【図４５】
2004023516.tif 000047
【図４６】
2004023516.tif 000048
【図４７】
2004023516.tif 000049
【図４８】
2004023516.tif 000050
【図４９】
2004023516.tif 000051